【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
ベッド寝床部の頭側右部、頭側左部、足側右部及び足側左部に掛かる荷重を、それぞれ第１〜第４荷重検出手段により検出する荷重検出工程と、
前記第１〜第４荷重検出手段から出力された荷重値をそれぞれＷ１、Ｗ２、Ｗ３及びＷ４とするとき、
Ｗ１／Ｗ３≦ｎ１ …式（１）
ただし、０＜ｎ１＜１（ｎ１：予め設定された値）
の第１判定式（１）を満足しているか否かを判定する第１判定工程と、
Ｗ３／Ｗ１≦ｎ２ …式（２）
ただし、０＜ｎ２＜１（ｎ２：予め設定された値）
の第２判定式（２）を満足しているか否かを判定する第２判定工程と、
Ｗ２／Ｗ４≦ｎ３ …式（３）
ただし、０＜ｎ３＜１（ｎ３：予め設定された値）
の第３判定式（３）を満足しているか否かを判定する第３判定工程と、
Ｗ４／Ｗ２≦ｎ４ …式（４）
ただし、０＜ｎ４＜１（ｎ４：予め設定された値）
の第４判定式（４）を満足しているか否かを判定する第４判定工程と、
Ｗ１／Ｗ２≦ｎ５ …式（５）
ただし、０＜ｎ５＜１（ｎ５：予め設定された値）
の第５判定式（５）を満足しているか否かを判定する第５判定工程と、
Ｗ２／Ｗ１≦ｎ６ …式（６）
ただし、０＜ｎ６＜１（ｎ６：予め設定された値）
の第６判定式（６）を満足しているか否かを判定する第６判定工程と、
Ｗ３／Ｗ４≦ｎ７ …式（７）
ただし、０＜ｎ７＜１（ｎ７：予め設定された値）
の第７判定式（７）を満足しているか否かを判定する第７判定工程と、
Ｗ４／Ｗ３≦ｎ８ …式（８）
ただし、０＜ｎ８＜１（ｎ８：予め設定された値）
の第８判定式（８）を満足しているか否かを判定する第８判定工程と、
前記第１〜第８判定工程のうち少なくとも一つの判定工程の判定結果において判定式を満足していると判定された場合、被験者の在床状況に関する情報を報知する第１報知工程と、
を備えていることを特徴とするベッドの在床状況検出方法。
【請求項２】
前記少なくとも一つの判定工程の判定結果において判定式を満足していると判定された場合、被験者の在床状況に関する情報を送信する第１通信工程を備えている請求項１記載のベッドの在床状況検出方法。
【請求項３】
前記被験者の在床状況に関する情報は、被験者の在床位置がベッド寝床部の端部領域にある旨の情報である請求項１又は２記載のベッドの在床状況検出方法。
【請求項４】
前記第１〜第４荷重検出手段から出力された４個の荷重値を合計した総荷重値Ａを演算する総荷重値演算工程と、
前記総荷重値演算工程で演算された総荷重値Ａを記憶する総荷重値記憶工程と、
前記総荷重値演算工程で演算された総荷重値Ａが、所定時間の間、所定荷重値以上であるか否かに応じて、被験者がベッド寝床部上に在床したか否かを判定する在床判定工程と、
前記在床判定工程の判定結果において被験者がベッド寝床部上に在床したと判定された場合、前記所定時間の経過時の総荷重値を、被験者がベッド寝床部上に在床した状態の在床荷重値Ｂとして記憶する在床荷重値記憶工程と、
Ａ≦Ｂ×ｍ１ …式（９）
ただし、０＜ｍ１＜１（ｍ１：予め設定された値）
の第９判定式（９）を満足しているか否かを判定する第９判定工程と、
前記第９判定工程の判定結果において前記第９判定式を満足していると判定された場合、
Ａ＜Ｂ×ｍ２ …式（１０）
ただし、０＜ｍ２＜ｍ１（ｍ２：予め設定された値）
の第１０判定式（１０）を満足しているか否かを判定する第１０判定工程と、
前記第１０判定工程の判定結果において前記第１０判定式を満足していると判定された場合、被験者が離床した旨の情報を報知する第２報知工程と、
を備えている請求項１〜３のいずれかに記載のベッドの在床状況検出方法。
【請求項５】
前記第１０判定工程の判定結果において前記第１０判定式を満足していると判定された場合、被験者が離床した旨の情報を送信する第２通信工程を備えている請求項４記載のベッドの在床状況検出方法。
【請求項６】
前記第１〜第４荷重検出手段から出力された４個の荷重値を合計した総荷重値Ａを演算する総荷重値演算工程と、
前記総荷重値演算工程で演算された総荷重値Ａを記憶する総荷重値記憶工程と、
前記総荷重値演算工程で演算された総荷重値Ａが、所定時間の間、所定荷重値以上であるか否かに応じて、被験者がベッド寝床部上に在床したか否かを判定する在床判定工程と、
前記在床判定工程の判定結果において被験者がベッド寝床部上に在床したと判定された場合、前記所定時間の経過時の総荷重値を、被験者がベッド寝床部上に在床した状態の在床荷重値Ｂとして記憶する在床荷重値記憶工程と、
前記総荷重値演算工程で演算された総荷重値Ａの所定時間内における最大総荷重値Ａｍａｘ及び最小総荷重値Ａｍｉｎを演算する最大及び最小総荷重値演算工程と、
Ａｍａｘ−Ａｍｉｎ≧Ｂ×ｑ …式（１１）
ただし、０＜ｑ（ｑ：予め設定された値）
の第１１判定式（１１）を満足しているか否かを判定する第１１判定工程と、
前記第１１判定工程の判定結果において前記第１１判定式を満足していると判定された場合、被験者の体動に関する情報を報知する第３報知工程と、
を備えている請求項１〜３のいずれかに記載のベッドの在床状況検出方法。
【請求項７】
前記第１１判定工程の判定結果において前記第１１判定式を満足していると判定された場合、被験者の体動に関する情報を送信する第３通信工程を備えている請求項６記載のベッドの在床状況検出方法。
【請求項８】
前記第１〜第４荷重検出手段から出力された４個の荷重値を合計した総荷重値Ａを演算する総荷重値演算工程と、
前記総荷重値演算工程で演算された総荷重値Ａを記憶する総荷重値記憶工程と、
前記総荷重値演算工程で演算された総荷重値Ａが、所定時間の間、所定荷重値以上であるか否かに応じて、被験者がベッド寝床部上に在床したか否かを判定する在床判定工程と、
前記在床判定工程の判定結果において被験者がベッド寝床部上に在床したと判定された場合、前記第１荷重検出手段から出力された荷重値Ｗ１と前記第２荷重検出手段から出力された荷重値Ｗ２とを合計した頭側荷重値Ｃを演算する頭側荷重値演算工程と、
前記頭側荷重値演算工程で演算された頭側荷重値Ｃを記憶する頭側荷重値記憶工程と、
前記頭側荷重値演算工程で演算された頭側荷重値Ｃの所定時間内の減少量ΔＣを演算する頭側荷重値減少量演算工程と、
ΔＣ≧Ａ×ｓ …式（１２）
ただし、０＜ｓ（ｓ：予め設定された値）
の第１２判定式（１２）を満足しているか否かを判定する第１２判定工程と、
前記第１２判定工程の判定結果において前記第１２判定式を満足していると判定された場合、被験者が上体を起こした旨の情報を報知する第４報知工程と、
を備えている請求項１〜３のいずれかに記載のベッドの在床状況検出方法。
【請求項９】
前記第１２判定工程の判定結果において前記第１２判定式を満足していると判定された場合、被験者が上体を起こした旨の情報を送信する第４通信工程を備えている請求項８記載のベッドの在床状況検出方法。
【請求項１０】
前記第１〜第４荷重検出手段から出力された４個の荷重値を合計した総荷重値Ａを演算する総荷重値演算工程と、
前記総荷重値演算工程で演算された総荷重値Ａを記憶する総荷重値記憶工程と、
前記総荷重値演算工程で演算された総荷重値Ａが、所定時間の間、所定荷重値以上であるか否かに応じて、被験者がベッド寝床部上に在床したか否かを判定する在床判定工程と、
前記在床判定工程の判定結果において被験者がベッド寝床部上に在床したと判定された場合、前記所定時間の経過時の総荷重値を、被験者がベッド寝床部上に在床した状態の在床荷重値Ｂとして記憶する在床荷重値記憶工程と、
Ａ≦Ｂ×ｍ１ …式（９）
ただし、０＜ｍ１＜１（ｍ１：予め設定された値）
の第９判定式を満足しているか否かを判定する第９判定工程と、
前記第９判定工程の判定結果において前記第９判定式を満足していると判定された場合、
Ａ＜Ｂ×ｍ２ …式（１０）
ただし、０＜ｍ２＜ｍ１（ｍ２：予め設定された値）
の第５判定式（１０）を満足しているか否かを判定する第１０判定工程と、
前記第１０判定工程の判定結果において前記第１０判定式を満足していると判定された場合、被験者が離床した旨の情報を報知する第２報知工程と、
前記総荷重値演算工程で演算された総荷重値Ａの所定時間内における最大総荷重値Ａｍａｘ及び最小総荷重値Ａｍｉｎを演算する最大及び最小総荷重値演算工程と、
Ａｍａｘ−Ａｍｉｎ≧Ｂ×ｑ …式（１１）
ただし、０＜ｑ（ｑ：予め設定された値）
の第１１判定式（１１）を満足しているか否かを判定する第１１判定工程と、
前記第１１判定工程の判定結果において前記第１１判定式を満足していると判定された場合、被験者の体動に関する情報を報知する第３報知工程と、
前記在床判定工程の判定結果において被験者がベッド寝床部上に在床したと判定された場合、前記第１荷重検出手段から出力された荷重値Ｗ１と前記第２荷重検出手段から出力された荷重値Ｗ２とを合計した頭側荷重値Ｃを演算する頭側荷重値演算工程と、
前記頭側荷重値演算工程で演算された頭側荷重値Ｃを記憶する頭側荷重値記憶工程と、
前記頭側荷重値演算工程で演算された頭側荷重値Ｃの所定時間内の減少量ΔＣを演算する頭側荷重値減少量演算工程と、
ΔＣ≧Ａ×ｓ …式（１２）
ただし、０＜ｓ（ｓ：予め設定された値）
の第１２判定式（１２）を満足しているか否かを判定する第１２判定工程と、
前記第１２判定工程の判定結果において前記第１２判定式を満足していると判定された場合、被験者が上体を起こした旨の情報を報知する第４報知工程と、
を備えている請求項１〜３のいずれかに記載のベッドの在床状況検出方法。
【請求項１１】
前記第１〜第８判定工程のうち前記少なくとも一つの判定工程の判定結果において判定式を満足していると判定された場合、被験者の在床状況に関する情報を送信する第１通信工程と、
前記第１０判定工程の判定結果において前記第１０判定式を満足していると判定された場合、被験者が離床した旨の情報を送信する第２通信工程と、
前記第１１判定工程の判定結果において前記第１１判定式を満足していると判定された場合、被験者の体動に関する情報を送信する第３通信工程と、
前記第１２判定工程の判定結果において前記第１２判定式を満足していると判定された場合、被験者が上体を起こした旨の情報を送信する第４通信工程と、
を備えている請求項１０記載のベッドの在床状況検出方法。
【請求項１２】
ベッド寝床部の頭側右部、頭側左部、足側右部及び足側左部に掛かる荷重を、それぞれ検出する第１〜第４荷重検出手段と、
前記第１〜第４荷重検出手段から出力された荷重値をそれぞれＷ１、Ｗ２、Ｗ３及びＷ４とするとき、
Ｗ１／Ｗ３≦ｎ１ …式（１）
ただし、０＜ｎ１＜１（ｎ１：予め設定された値）
の第１判定式（１）を満足しているか否かを判定する第１判定手段と、
Ｗ３／Ｗ１≦ｎ２ …式（２）
ただし、０＜ｎ２＜１（ｎ２：予め設定された値）
の第２判定式（２）を満足しているか否かを判定する第２判定手段と、
Ｗ２／Ｗ４≦ｎ３ …式（３）
ただし、０＜ｎ３＜１（ｎ３：予め設定された値）
の第３判定式（３）を満足しているか否かを判定する第３判定手段と、
Ｗ４／Ｗ２≦ｎ４ …式（４）
ただし、０＜ｎ４＜１（ｎ４：予め設定された値）
の第４判定式（４）を満足しているか否かを判定する第４判定手段と、
Ｗ１／Ｗ２≦ｎ５ …式（５）
ただし、０＜ｎ５＜１（ｎ５：予め設定された値）
の第５判定式（５）を満足しているか否かを判定する第５判定手段と、
Ｗ２／Ｗ１≦ｎ６ …式（６）
ただし、０＜ｎ６＜１（ｎ６：予め設定された値）
の第６判定式（６）を満足しているか否かを判定する第６判定手段と、
Ｗ３／Ｗ４≦ｎ７ …式（７）
ただし、０＜ｎ７＜１（ｎ７：予め設定された値）
の第７判定式（７）を満足しているか否かを判定する第７判定手段と、
Ｗ４／Ｗ３≦ｎ８ …式（８）
ただし、０＜ｎ８＜１（ｎ８：予め設定された値）
の第８判定式（８）を満足しているか否かを判定する第８判定手段と、
前記第１〜第８判定手段のうち少なくとも一つの判定手段の判定結果において判定式を満足していると判定された場合、被験者の在床状況に関する情報を報知する第１報知手段と、
を備えていることを特徴とするベッドの在床状況検出装置。
【請求項１３】
前記少なくとも一つの判定手段の判定結果において判定式を満足していると判定された場合、被験者の在床状況に関する情報を送信する第１通信手段を備えている請求項１２記載のベッドの在床状況検出装置。
【請求項１４】
前記被験者の在床状況に関する情報は、被験者の在床位置がベッド寝床部の端部領域にある旨の情報である請求項１２又は１３記載のベッドの在床状況検出装置。
【請求項１５】
前記第１〜第４荷重検出手段から出力された４個の荷重値を合計した総荷重値Ａを演算する総荷重値演算手段と、
前記総荷重値演算手段で演算された総荷重値Ａを記憶する総荷重値記憶手段と、
前記総荷重値演算手段で演算された総荷重値Ａが、所定時間の間、所定荷重値以上であるか否かに応じて、被験者がベッド寝床部上に在床したか否かを判定する在床判定手段と、
前記在床判定手段の判定結果において被験者がベッド寝床部上に在床したと判定された場合、前記所定時間の経過時の総荷重値を、被験者がベッド寝床部上に在床した状態の在床荷重値Ｂとして記憶する在床荷重値記憶手段と、
Ａ≦Ｂ×ｍ１ …式（９）
ただし、０＜ｍ１＜１（ｍ１：予め設定された値）
の第９判定式（９）を満足しているか否かを判定する第９判定手段と、
前記第９判定手段の判定結果において前記第９判定式を満足していると判定された場合、
Ａ＜Ｂ×ｍ２ …式（１０）
ただし、０＜ｍ２＜ｍ１（ｍ２：予め設定された値）
の第１０判定式（１０）を満足しているか否かを判定する第１０判定手段と、
前記第１０判定手段の判定結果において前記第１０判定式を満足していると判定された場合、被験者が離床した旨の情報を報知する第２報知手段と、
を備えている請求項１２〜１４のいずれかに記載のベッドの在床状況検出装置。
【請求項１６】
前記第１０判定手段の判定結果において前記第１０判定式を満足していると判定された場合、被験者が離床した旨の情報を送信する第２通信手段を備えている請求項１５記載のベッドの在床状況検出装置。
【請求項１７】
前記第１〜第４荷重検出手段から出力された４個の荷重値を合計した総荷重値Ａを演算する総荷重値演算手段と、
前記総荷重値演算手段で演算された総荷重値Ａを記憶する総荷重値記憶手段と、
前記総荷重値演算手段で演算された総荷重値Ａが、所定時間の間、所定荷重値以上であるか否かに応じて、被験者がベッド寝床部上に在床したか否かを判定する在床判定手段と、
前記在床判定手段の判定結果において被験者がベッド寝床部上に在床したと判定された場合、前記所定時間の経過時の総荷重値を、被験者がベッド寝床部上に在床した状態の在床荷重値Ｂとして記憶する在床荷重値記憶手段と、
前記総荷重値演算手段で演算された総荷重値Ａの所定時間内における最大総荷重値Ａｍａｘ及び最小総荷重値Ａｍｉｎを演算する最大及び最小総荷重値演算手段と、
Ａｍａｘ−Ａｍｉｎ≧Ｂ×ｑ …式（１１）
ただし、０＜ｑ（ｑ：予め設定された値）
の第１１判定式（１１）を満足しているか否かを判定する第１１判定手段と、
前記第１１判定手段の判定結果において前記第１１判定式を満足していると判定された場合、被験者の体動に関する情報を報知する第３報知手段と、
を備えている請求項１２〜１４のいずれかに記載のベッドの在床状況検出装置。
【請求項１８】
前記第１１判定手段の判定結果において前記第１１判定式を満足していると判定された場合、被験者の体動に関する情報を送信する第３通信手段を備えている請求項１７記載のベッドの在床状況検出装置。
【請求項１９】
前記第１〜第４荷重検出手段から出力された４個の荷重値を合計した総荷重値Ａを演算する総荷重値演算手段と、
前記総荷重値演算手段で演算された総荷重値Ａを記憶する総荷重値記憶手段と、
前記総荷重値演算手段で演算された総荷重値Ａが、所定時間の間、所定荷重値以上であるか否かに応じて、被験者がベッド寝床部上に在床したか否かを判定する在床判定手段と、
前記在床判定手段の判定結果において被験者がベッド寝床部上に在床したと判定された場合、前記第１荷重検出手段から出力された荷重値Ｗ１と前記第２荷重検出手段から出力された荷重値Ｗ２とを合計した頭側荷重値Ｃを演算する頭側荷重値演算手段と、
前記頭側荷重値演算手段で演算された頭側荷重値Ｃを記憶する頭側荷重値記憶手段と、
前記頭側荷重値演算手段で演算された頭側荷重値Ｃの所定時間内の減少量ΔＣを演算する頭側荷重値減少量演算手段と、
ΔＣ≧Ａ×ｓ …式（１２）
ただし、０＜ｓ（ｓ：予め設定された値）
の第１２判定式（１２）を満足しているか否かを判定する第１２判定手段と、
前記第１２判定手段の判定結果において前記第１２判定式を満足していると判定された場合、被験者が上体を起こした旨の情報を報知する第４報知手段と、
を備えている請求項１２〜１４のいずれかに記載のベッドの在床状況検出装置。
【請求項２０】
前記第１２判定手段の判定結果において前記第１２判定式を満足していると判定された場合、被験者が上体を起こした旨の情報を送信する第４通信手段を備えている請求項１９記載のベッドの在床状況検出装置。
【請求項２１】
前記第１〜第４荷重検出手段から出力された４個の荷重値を合計した総荷重値Ａを演算する総荷重値演算手段と、
前記総荷重値演算手段で演算された総荷重値Ａを記憶する総荷重値記憶手段と、
前記総荷重値演算手段で演算された総荷重値Ａが、所定時間の間、所定荷重値以上であるか否かに応じて、被験者がベッド寝床部上に在床したか否かを判定する在床判定手段と、
前記在床判定手段の判定結果において被験者がベッド寝床部上に在床したと判定された場合、前記所定時間の経過時の総荷重値を、被験者がベッド寝床部上に在床した状態の在床荷重値Ｂとして記憶する在床荷重値記憶手段と、
Ａ≦Ｂ×ｍ１ …式（９）
ただし、０＜ｍ１＜１（ｍ１：予め設定された値）
の第９判定式を満足しているか否かを判定する第９判定手段と、
前記第９判定手段の判定結果において前記第９判定式を満足していると判定された場合、
Ａ＜Ｂ×ｍ２ …式（１０）
ただし、０＜ｍ２＜ｍ１（ｍ２：予め設定された値）
の第１０判定式（１０）を満足しているか否かを判定する第１０判定手段と、
前記第１０判定手段の判定結果において前記第５判定式を満足していると判定された場合、被験者が離床した旨の情報を報知する第２報知手段と、
前記総荷重値演算手段で演算された総荷重値Ａの所定時間内における最大総荷重値Ａｍａｘ及び最小総荷重値Ａｍｉｎを演算する最大及び最小総荷重値演算手段と、
Ａｍａｘ−Ａｍｉｎ≧Ｂ×ｑ …式（１１）
ただし、０＜ｑ（ｑ：予め設定された値）
の第１１判定式（１１）を満足しているか否かを判定する第１１判定手段と、
前記第１１判定手段の判定結果において前記第１１判定式を満足していると判定された場合、被験者の体動に関する情報を報知する第３報知手段と、
前記在床判定手段の判定結果において被験者がベッド寝床部上に在床したと判定された場合、前記第１荷重検出手段から出力された荷重値Ｗ１と前記第２荷重検出手段から出力された荷重値Ｗ２とを合計した頭側荷重値Ｃを演算する頭側荷重値演算手段と、
前記頭側荷重値演算手段で演算された頭側荷重値Ｃを記憶する頭側荷重値記憶手段と、
前記頭側荷重値演算手段で演算された頭側荷重値Ｃの所定時間内の減少量ΔＣを演算する頭側荷重値減少量演算手段と、
ΔＣ≧Ａ×ｓ …式（１２）
ただし、０＜ｓ（ｓ：予め設定された値）
の第１２判定式（１２）を満足しているか否かを判定する第１２判定手段と、
前記第１２判定手段の判定結果において前記第１２判定式を満足していると判定された場合、被験者が上体を起こした旨の情報を報知する第４報知手段と、
を備えている請求項１２〜１４のいずれかに記載のベッドの在床状況検出装置。
【請求項２２】
前記第１〜第８判定手段のうち前記少なくとも一つの判定手段の判定結果において判定式を満足していると判定された場合、被験者の在床状況に関する情報を送信する第１通信手段と、
前記第１０判定手段の判定結果において前記第１０判定式を満足していると判定された場合、被験者が離床した旨の情報を送信する第２通信手段と、
前記第１１判定手段の判定結果において前記第１１判定式を満足していると判定された場合、被験者の体動に関する情報を送信する第３通信手段と、
前記第１２判定手段の判定結果において前記第１２判定式を満足していると判定された場合、被験者が上体を起こした旨の情報を送信する第４通信手段と、
を備えている請求項２１記載のベッドの在床状況検出装置。